(57)【特許請求の範囲】
【請求項１】
光ディスク信号を読み取る光学ピックアップを移動可能に保持するために、光学ピックアップを嵌め合わせる送り軸を使用し、この送り軸の軸受をシャーシに固定することで光学ピックアップの一端を保持する送り側保持部と、光学ピックアップの他端をシャーシに対してスライド可能に保持するガイド側保持部とを備えた光学ピックアップ保持機構において、
前記ガイド側保持部は、
前記光学ピックアップをスライド可能に保持するガイド部材と、
前記ガイド部材を前記光学ピックアップ側に弾性的に押さえるように配置され、押さえ方向に変位可能な弾性部材を備え、
前記弾性部材は、たわみ特性の異なる複数部分から構成された板バネであることを特徴とする光学ピックアップ保持機構。
【請求項２】
前記板バネは、テーパ部と、このテーパ部の先端に設けられて前記ガイド部材に当接する当接部を備えたことを特徴とする請求項１記載の光学ピックアップ保持機構。
【請求項３】
前記板バネの当接部は、前記ガイド部材側に突出する円弧状の断面を持つように形成されたことを特徴とする請求項２記載の光学ピックアップ保持機構。
【請求項４】
前記ガイド側保持部は、前記光学ピックアップ側に設けられた溝部を備え、この溝部内に、円柱状に形成された前記ガイド部材が挿入されたことを特徴とする請求項１に記載の光学ピックアップ保持機構。
【請求項５】
前記弾性部材は、前記ガイド部材の全長を等分する複数箇所でこのガイド部材を押さえるように構成されたことを特徴とする請求項１乃至４のいずれか１項に記載の光学ピックアップ保持機構。
【発明の詳細な説明】
【０００１】
【発明の属する技術分野】
本発明は、ＣＤプレーヤにおいて、光ディスク信号を読み取る光学ピックアップを移動可能に保持するための機構に係り、特に、光学ピックアップの動作信頼性を向上するための技術に関するものである。
【０００２】
【従来の技術】
ＣＤプレーヤにおいて、光ディスク信号を読み取るための光学ピックアップは、ターンテーブル上に装着されて回転するディスクの半径方向に移動するように構成される。このようなＣＤプレーヤにおいて、光学ピックアップを移動可能に保持するための光学ピックアップ保持機構は、従来、図３に示すように構成されている。なお、この図３において、（Ａ）は平面図、（Ｂ）は（Ａ）のＢ矢視側面図、（Ｃ）は（Ｂ）のＣ部拡大図である。
【０００３】
この図３の（Ａ）に示すように、光学ピックアップ１の一端は、基準軸および送り軸の双方の役割を持つリードスクリュー２とその軸受３，４によって保持されている。この場合、光学ピックアップ１の一部をリードスクリュー２に嵌め合わせ、図示していないモータでリードスクリュー２を回転させることによって光学ピックアップ１を移動させるようになっている。また、光学ピックアップ１の他端は、リードスクリュー２と平行に配置されたガイドレール５によってスライド可能に保持されている。
【０００４】
ここで、ガイドレール５は、図３の（Ｂ）に示すように、光学ピックアップ１の高さ方向を位置決めする部材であり、図３の（Ｃ）に示すように、光学ピックアップ１におけるガイドレール５との係合部１ａは、コ字状に形成されている。この係合部１ａの高さ方向のガタについては、光学ピックアップ１自身が持つ板バネにより下方に付勢されてガイドレール５に当接する構造になっているが、横方向については、円滑なスライド動作を可能とするためにガイドレール５と係合部１ａとの間にクリアランス６を持つように配置されている。
【０００５】
なお、図中７は、ＣＤプレーヤのシャーシであり、軸受３，４やガイドレール５は、このシャーシ７の下面側に固定されている。また、図中８，９は、それぞれディスクドライブモータとそれに直結されたターンテーブルであり、光学ピックアップ１は、以上のような保持機構によって、このターンテーブル９上に装着されたディスクの半径方向に移動し、光ディスク信号を読み取るようになっている。
【０００６】
【発明が解決しようとする課題】
ところで、上記のような従来の光学ピックアップ保持機構においては、振動等が加わった場合に、光学ピックアップ１にズレを生じる可能性がある。以下には、この点について説明する。
【０００７】
すなわち、光学ピックアップ１を保持するための部材は、各々かなり高い精度で設計されているが、光学ピックアップ１とリードスクリュー２の間の嵌め合い部分、およびリードスクリュー２とその軸受３，４の嵌め合い部分には、その構造上、嵌め合い交差内でガタが発生してしまう。そのため、ＣＤプレーヤが振動等の外乱を受けた場合には、リードスクリュー２側に発生するこのようなガタが、光学ピックアップ１とガイドレール５との間に形成される前述したクリアランス６の影響によって増大して、光学ピックアップ１は、図３の（Ａ）中に矢印で示すように、回転方向のズレを生じ易くなる。このような光学ピックアップ１の回転方向のズレは、信号読み取り時におけるトラッキングのズレとなり、ＣＤプレーヤの耐振性能に大きな影響を与えてしまう。
【０００８】
本発明は、上記のような従来技術の問題点を解決するために提案されたものであり、その目的は、光学ピックアップの円滑なスライド動作を確保しながら、しかも、光学ピックアップを常に安定した状態で保持して光学ピックアップのズレ量を抑制することにより、光学ピックアップの動作信頼性を向上し、ＣＤプレーヤの耐振性能の向上に貢献可能な光学ピックアップ保持機構を提供することである。
【０００９】
【課題を解決するための手段】
本発明は、上記の課題を解決するために、光学ピックアップに対して横方向から弾性的に圧力を加えるように構成することにより、光学ピックアップの保持部におけるクリアランスを安定的につめることができるようにして、光学ピックアップのズレ量の抑制を図ったものである。
【００１０】
すなわち、本発明の光学ピックアップ保持機構は、光ディスク信号を読み取る光学ピックアップを移動可能に保持するために、光学ピックアップを嵌め合わせる送り軸を使用し、この送り軸の軸受をシャーシに固定することで光学ピックアップの一端を保持する送り側保持部と、光学ピックアップの他端をシャーシに対してスライド可能に保持するガイド側保持部とを備えた光学ピックアップ保持機構において、前記ガイド側保持部の構成に特徴を有するものである。
【００１１】
請求項１記載の発明は、以上のような光学ピックアップ保持機構において、ガイド側保持部が、光学ピックアップをスライド可能に保持するガイド部材と、このガイド部材を光学ピックアップ側に弾性的に押さえるように配置され、押さえ方向に変位可能な弾性部材を備え、前記弾性部材は、たわみ特性の異なる複数部分から構成された板バネであることを特徴としている。この構成によれば、振動等の過度な衝撃が加わった場合に、その衝撃に応じて弾性部材を段階的に柔軟に変位させることができるので、衝撃の程度に関わらず、光学ピックアップの保持部におけるクリアランスを安定的につめることができ、光学ピックアップを常に安定した状態で保持することができる。したがって、光学ピックアップを常に安定した状態で保持することができ、クリアランスの影響による光学ピックアップのズレ量を抑制することができる。また、弾性部材の具体的な構成は適宜選択可能であり、複数の材料から構成することも可能であるが、板バネを使用することにより、部材の構成を簡略化でき、組立性や経済性にも優れている。
【００１４】
請求項２記載の発明は、請求項１記載の光学ピックアップ保持機構において、板バネがテーパ部と、このテーパ部の先端に設けられて前記ガイド部材に当接する当接部を備えたことを特徴としている。この構成によれば、過度の衝撃に対してテーパ部が大きくたわむため、光学ピックアップの保持部におけるクリアランスを確実につめることができ、また、板バネを小型・簡略化できる。
【００１５】
請求項３記載の発明は、請求項２記載の光学ピックアップ保持機構において、板バネの当接部が、ガイド部材側に突出する円弧状の断面を持つように形成されたことを特徴としている。この構成によれば、円弧状の断面を持つ当接部によって、ガイド部材を良好かつ確実に押さえることができる。
【００１６】
請求項４記載の発明は、請求項１項に記載の光学ピックアップ保持機構において、ガイド側保持部が、光学ピックアップ側に設けられた溝部を備え、この溝部内に、円柱状に形成された前記ガイド部材が挿入されたことを特徴としている。この構成によれば、ガイド部材を円柱状に形成することで、このガイド部材によって光学ピックアップを良好かつ確実に押さえることができると共に、このガイド部材自身についても弾性部材によって良好かつ確実に押さえることができる。また、ガイド部材と光学ピックアップとの接触面積が小さくなるため、光学ピックアップのスライド動作をより円滑にすることができる。
【００１７】
請求項５記載の発明は、請求項１〜４のいずれか１項に記載の光学ピックアップ保持機構において、弾性部材が、ガイド部材の全長を等分する複数箇所でこのガイド部材を押さえるように構成されたことを特徴としている。この構成によれば、ガイド部材の全長を等分する複数箇所でガイド部材を押さえることにより、光学ピックアップの動作位置に関わらず、光学ピックアップに加わる横方向の圧力をほぼ一定にすることができる。
【００１８】
【発明の実施の形態】
以下には、本発明による光学ピックアップ保持機構を適用した一つの実施の形態について、図１および図２を参照して具体的に説明する。なお、図３に示した従来技術と同一部分には同一符号を付し、その説明を省略する。
【００１９】
［１．構成］
まず、図１は、本実施の形態に係る光学ピックアップ保持機構を示す図であり、（Ａ）は平面図、（Ｂ）は（Ａ）のＢ矢視側面図、（Ｃ）は（Ａ）のＣ矢視拡大断面図、（Ｄ）は（Ａ）のＤ矢視拡大断面図である。この図１の（Ａ）に示すように、光学ピックアップ１の一端は、図３に示した従来例と同様に、基準軸および送り軸の双方の役割を持つリードスクリュー（送り軸）２とその軸受３，４によって保持されている。この場合、光学ピックアップ１の一部をリードスクリュー２に嵌め合わせ、図示していないモータでリードスクリュー２を回転させることによって光学ピックアップ１を移動させるようになっている。
【００２０】
これに対して、光学ピックアップ１の他端は、本発明にしたがって、リードスクリュー２と平行に配置されたガイドシャフト（ガイド部材）１１と、このガイドシャフト１１を光学ピックアップ１側に押さえる板バネ（弾性部材）１２によってスライド可能に保持されており、これらのガイドシャフト１１および板バネ１２は、支持部材１３によってシャーシ７の下面側に固定されている。
【００２１】
より詳細には、ガイドシャフト１１は、図１の（Ｃ）および（Ｄ）に示すように、円柱状に形成されており、図１の（Ａ）に示すように、その両端で支持部材１３の支持部１３ａ，１３ｂによって支持されている。この場合、支持部材１３の支持部１３ａ，１３ｂの支持面は、図１の（Ｃ）に示すように、Ｕ字状に形成されており、その内部でガイドシャフト１１が光学ピックアップ１との接離方向に移動可能になっている。また、光学ピックアップ１におけるガイドシャフト１１との係合部１ａは、図１の（Ｄ）に示すように、コ字状に形成されている。
【００２２】
また、図２は、図１の板バネを示す図であり、（Ａ）は平面図、（Ｂ）および（Ｃ）は（Ａ）の異なる方向における各側面図である。この図２の（Ａ）に示すように、板バネ１２は、その長手方向の２箇所に、同一の寸法形状を持つ押さえ突起１２ａ，１２ｂを備えている。なお、これらの押さえ突起１２ａ，１２ｂは、図１の（Ａ）に示すように、ガイドシャフト１１の全長を３等分する２箇所の位置に配置されている。
【００２３】
さらに、図２の（Ｂ）および（Ｃ）に示すように、押さえ突起１２ａ，１２ｂは、いずれも、板ばね１２の本体部から直交方向に折り曲げられており、テーパ部１２ｃと、このテーパ部１２ｃの先端に設けられた当接部１２ｄから構成されている。この場合、当接部１２ｄは、図２の（Ｃ）に示すように、ガイドシャフト１１側に突出する円弧状の断面を持つように形成されている。
【００２４】
［２．作用］
以上の構成を有する本実施の形態によれば、次のような作用が得られる。まず、板バネ１２によりガイドシャフト１１を介して光学ピックアップ１に横方向から弾性的に圧力を加えることによって、光学ピックアップ１の係合部１ａとガイドシャフト１１との間のクリアランスを安定的につめることができる。その一方で、板バネ１２によってガイドシャフト１１に加える横方向の圧力は、クリアランスをつめる程度であり、ガイドシャフト１１を光学ピックアップ１の係合部１ａに強力に押し付けるものではないため、光学ピックアップ１のスライド動作は円滑に行うことができる。
【００２５】
また、板バネ１２の押さえ突起１２ａ，１２ｂを、それぞれテーパ部１２ｃと当接部１２ｄから構成していることにより、振動等の過度の衝撃が加わった場合には、テーパ部１２ｃがたわむことで衝撃が吸収される。そのため、衝撃の程度に関わらず、光学ピックアップ１の係合部１ａとガイドシャフト１１との間のクリアランスを安定的につめることができる。さらに、これらの押さえ突起１２ａ，１２ｂによって、ガイドシャフト１１の全長を３等分する２箇所でガイドシャフト１１を押さえることにより、光学ピックアップ１の動作位置に関わらず、光学ピックアップ１に加わる横方向の圧力をほぼ一定にすることができる。
【００２６】
そしてまた、板バネ１２の押さえ突起１２ａ，１２ｂの当接部１２ｄが、ガイドシャフト１１側に突出する円弧状の断面を持つと共に、この当接部１２ｄと当接するガイドシャフト１１が円柱状に形成されているため、押さえ突起１２ａ，１２ｂによってガイドシャフト１１を良好かつ確実に押さえることができる。その一方で、このようにガイドシャフト１１を円柱状に形成することで、ガイドシャフト１１と光学ピックアップ１との接触面積を小さくできるため、光学ピックアップ１のスライド動作をより円滑にすることができる。
【００２７】
［３．効果］
以上のように、本実施の形態によれば、ガイドシャフト１１と板バネ１２を使用した簡単な構成により、衝撃の程度や光学ピックアップ１の動作位置に関わらず、光学ピックアップ１の保持部におけるクリアランスを安定的につめることができる。そのため、過度の衝撃に対しても、リードスクリュー２側のガタをクリアランスの影響によって増大させることなく、光学ピックアップ１を常に安定した状態で保持して光学ピックアップ１のズレ量を抑制することができる。したがって、光学ピックアップ１の動作信頼性を向上し、ＣＤプレーヤの耐振性能の向上に貢献可能である。また、本実施の形態は、弾性部材として単一の板バネ１１を使用した小型・簡略な構成であり、組立性や経済性にも優れている。
【００２８】
［４．他の実施の形態］
なお、本発明は、前記実施の形態に限定されるものではなく、他にも本発明の範囲内で多種多様な変形例が実施可能である。例えば、前記実施の形態においては、板バネの押さえ部は、ガイドシャフトの全長を３等分する２箇所の位置に設けたが、同様にガイドシャフトの全長を等分する３箇所以上の位置に設けることも可能である。また、板バネの具体的な形状は適宜選択可能であり、３種類以上のたわみ特性の異なる部分を構成すること等も可能である。さらに、弾性部材としては、板バネと他の部材を組み合わせたり、また、板バネ以外の弾性部材のみを使用することも可能であるが、小型・簡略化、および組立性や経済性等の面からは、板バネを使用することが望ましい。
【００２９】
一方、ガイド部材についても、必ずしも円柱状とする必要はないが、光学ピックアップに確実に圧力を加えながらしかも光学ピックアップのスライド動作を円滑にするためには、円柱状とすることが望ましい。
【００３０】
すなわち、本発明においては、ガイド部材と弾性部材を用いて光学ピックアップに対して横方向から弾性的に圧力を加えることができる限り、各部の具体的な構成は自由に選択可能であり、いずれの場合にも、前記各実施の形態について記載したような優れた効果が得られるものである。
【００３１】
【発明の効果】
以上説明したように、本発明によれば、光学ピックアップに対して横方向から弾性的に圧力を加えるように構成することにより、光学ピックアップの円滑なスライド動作を確保しながら、しかも、光学ピックアップの保持部におけるクリアランスを安定的につめることができるため、光学ピックアップを常に安定した状態で保持して光学ピックアップのズレ量を抑制することができる。したがって、光学ピックアップの動作信頼性を向上し、ＣＤプレーヤの耐振性能の向上に貢献可能である。
【図面の簡単な説明】
【図１】本発明を適用した一つの実施の形態に係る光学ピックアップ保持機構を示す図であり、（Ａ）は平面図、（Ｂ）は（Ａ）のＢ矢視側面図、（Ｃ）は（Ａ）のＣ矢視拡大断面図、（Ｄ）は（Ａ）のＤ矢視拡大断面図である。
【図２】図１の板バネを示す図であり、（Ａ）は平面図、（Ｂ）および（Ｃ）は（Ａ）の異なる方向における各側面図である。
【図３】従来の光学ピックアップ保持機構を示す図であり、（Ａ）は平面図、（Ｂ）は（Ａ）のＢ矢視側面図、（Ｃ）は（Ｂ）のＣ部拡大図である。
【符号の説明】
１…光学ピックアップ
１ａ…係合部
２…リードスクリュー
３，４…軸受
５…ガイドレール
６…クリアランス
７…シャーシ
８…ディスクドライブモータ
９…ターンテーブル
１１…ガイドシャフト
１２…板バネ
１２ａ，１２ｂ…押さえ突起
１２ｃ…テーパ部
１２ｄ…当接部
１３…支持部材
１３ａ，１３ｂ…支持部
【図１】
0003839936.tif 000002
【図２】
0003839936.tif 000003
【図３】
0003839936.tif 000004